(57)【特許請求の範囲】
【請求項１】
側壁と、底板と、屋根と、側壁の外周に設置した地下壁とによって構成した地下タンクにおいて、
地下壁の上端に、外周方向に向けて取付けた棚板と、棚板の上に搭載した盛土とによって構成し、
側壁と、底板と、屋根と、地下壁と、地下壁の上端の外周に取付けた棚板と、棚板の上に搭載した盛土の重量の和が、
底板に下から作用する揚圧力と等しいかそれよりも大きい形状に構成した、地下タンクの構造。
【請求項２】
地下壁の上端の外周に取付けた棚板は、
地下壁構築の際に使用したガイドウオールである、
請求項１記載の、地下タンクの構造。
【請求項３】
地下壁の上端の外周に取付けた棚板は、
地下壁構築の際に使用したガイドウオールであって、
水平方向に分割して構成した、
請求項１、２記載の、地下タンクの構造。
【発明の詳細な説明】
【０００１】
【発明の属する技術分野】
本発明は、地下タンクの構造に関するものである。
【０００２】
【従来の技術】
一般に地下タンクは図７に示すように、側壁ａと、底板ｂと、屋根ｃと、側壁ａの外周に設置した地下連壁ｄとによって構成してある。
タンクの底板ｂには地下水の水頭に応じて、大きな揚圧力が下から作用して、タンクに浮き上がり力を与えている。
【０００３】
【本発明が解決しようとする課題】
上記のような揚圧力に対抗するためには、従来の地下タンクでは壁、床版の厚さを増して大きな重量を確保し、そのコンクリートの重量によって揚圧力に対抗する対策を採用している。
しかしこのような対策を採用するためには、掘削深さ、および掘削幅を大きく拡大しなければならず、またコンクリートの体積が大きくなりきわめて不経済となる。
【０００４】
本発明は上記したような従来の問題を解決するためになされたもので、簡単な施工と構造によって、揚圧力に対抗することができる、地下タンクの構造を提供することを目的とする。
【０００５】
【課題を解決するための手段】
上記のような目的を達成するために、本発明の地下タンクの構造は、側壁と、底板と、屋根と、側壁の外周に設置した地下壁とによって構成した地下タンクにおいて、地下壁の上端に、外周方向に向けて取付けた棚板と、棚板の上に搭載した盛土とによって構成し、側壁と、底板と、屋根と、地下壁と、地下壁の上端の外周に取付けた棚板と、棚板の上に搭載した盛土の重量の和が、底板に下から作用する揚圧力と等しいかそれよりも大きい形状に構成した、地下タンクの構造を特徴としたものである。
【０００６】
【本発明の実施の態様】
以下図面を参照しながら本発明に関わる地下タンクの構造の実施例について説明する。
【０００７】
＜イ＞一般的構造。
地下タンクは一般にはまずタンクの周囲に地下連壁１を構築し、地下連壁１によって包囲した内側の地山を最深部まで掘削し、底板２コンクリートを打設し、側壁３を立ちあげて構築してゆく。最上部まで立ちあげたら屋根６を架設して完了する。
【０００８】
＜ロ＞地下連壁の構築。
地下連壁１の構築に際してはまず地表部分にガイドウオール４を設ける。
このガイドウオール４はコンクリート製の板体であり、地下連壁１の溝の縁に枠として配置する。このガイドウオール４を設けることによって、地下連壁１構築のための掘削機５が移動しても溝の周囲の地山が崩壊することを防止することができる。
したがって、地下連壁１の施工が完了するとガイドウオール４は地下連壁１の頭部に位置することになる。
【０００９】
＜ハ＞棚板の形成。
上記のように、地下タンクは側壁３と、底板２と、屋根６と、側壁３の外周に設置した地下連壁１とによって構成してある。
このような地下タンクにおいて、地下連壁１の上端に、外周方向に向けて棚板７を片持ち梁状に張り出した状態で取付ける。
この棚板７は、地下連壁１の上端とは構造上一体化するように構成する。
そのために例えば地下連壁１の上端と棚板７とをキー７１を介して取付けたり（図）、上端と棚板７とに連続するせん断伝達鋼材７２を水平に配置したり（図）、上端と棚板７との間に機械継ぎ手７３で連続した鉄筋７４を配置したり（図）、あるいは連壁１の上端内部で、連壁１の鉄筋１１と棚板７の鉄筋７４を重ね継ぎ手で構成したり（図）、といった各種の構成を採用することができる。
棚板７の構築は地表面に棚板７部分を掘削して構成する。したがって地表面の掘削、地表面での鉄筋組み立て、地表面からのコンクリートの打設といった、通常のスラブ構築の方法とかわりなく、きわめて簡単な作業によって構築することができる。
なお、実際には地下連壁１の上端は解体して新たに別のコンクリートを打設して継ぎ足す場合が多いが、そのように継ぎ足した部分も含めて本明細書では『地下連壁１』と称している。
【００１０】
＜ニ＞ガイドウオール４の転用。
地下連壁１の上端の外周に取付ける棚板７は、あらたに構築することも可能であるが、地下連壁１の構築に際して設置したガイドウオール４を転用することができる。その場合には通常の仮設のガイドウオール４とは異なり、後述するような重量を支持できるだけの寸法、強度が必要となる。地下タンクの周囲に配置するガイドウオール４は、水平方向に連続して一体化している。このように一体化して構成してあるガイドウオール４を、水平方向にユニットごとに分割して構成することもできる。
【００１１】
＜ホ＞棚板７上の盛土。
地下タンクの構築が完了したら、盛土を行う。
盛土で重要な点は、特に地下タンクの周囲に配置した棚板７の上に搭載した荷重盛土８の量である。
【００１２】
＜ヘ＞棚板７上の荷重盛土８の決定。
棚板７は自由な寸法だけ周囲に張り出すものではなく、その上に搭載する荷重盛土８の量、すなわち荷重盛土８の重量が問題である。
そのために板の寸法の決定は、
【００１３】
［棚板７の上に搭載した荷重盛土８の重量］と、［側壁３の重量］と、［底板２の重量］と、［屋根６の重量］と、［地下連壁１の重量］と、［棚板７の重量］の和が、底板２に下から作用する［揚圧力］と等しいかそれよりも大きくなるようにその形状を構成する。
そうすれば上向きの力よりも下向きの力が大きくなり、揚圧力によって地下タンクが浮き上がる危険性は解除される。
【００１４】
【本発明の効果】
本発明の地下タンクの構造は以上説明したようになるから次のような効果を得ることができる。
＜イ＞コンクリートを厚くして重量を増加するためにはタンクの底板２、あるいは側壁３の掘削量を増加しなければならない。
しかし本発明の構成であれば、地表面に棚板７部分を配置するだけであるから、地表掘削、地表での鉄筋組み立て、地表面からのコンクリートの打設といった、通常のスラブ構築の方法とかわりなく、きわめて簡単な構造によって揚圧力に対抗することができる。
＜ロ＞ガイドウオールを転用する方法を採用すれば、余分なコストを必要とせずさらに経済的である。
【図面の簡単な説明】
【図１】本発明の地下タンクの構造の実施例の説明図。
【図２】地下タンクの棚板と荷重盛土の状態の説明図。
【図３】地下連壁と棚板との取付け状態の実施例の説明図。
【図４】地下連壁と棚板との取付け状態の実施例の説明図。
【図５】地下連壁と棚板との取付け状態の実施例の説明図。
【図６】ガイドウオールの設置状態の説明図。
【図７】従来の地下タンクの構造の説明図。
【図１】
0003886275.tif 000002
【図２】
0003886275.tif 000003
【図３】
0003886275.tif 000004
【図４】
0003886275.tif 000005
【図５】
0003886275.tif 000006
【図６】
0003886275.tif 000007
【図７】
0003886275.tif 000008